(57)【要約】      （修正有）【課題】別部品を必要とすることなく、簡単な作業により、ルーフライニングへのワイヤハーネスの固着力の増強を図ることができる、新規な自動車ルーフ部のワイヤハーネスの配索構造と、新規な構造の自動車ルーフ部用のワイヤハーネスを提供する。【解決手段】自動車ルーフ部用のワイヤハーネス１０における複数の電線２２が未結束状態とされていると共に、該未結束状態の電線２２が可撓性シート３２からなる筒体によって隙間を隔てて包囲されており、自動車のルーフライニング１６の表面に敷設された粘着部材に対して、前記筒体が扁平断面形状で前記粘着部材に固着されている。【選択図】図２
2014136536.tif 000002
【特許請求の範囲】
【請求項１】
自動車のルーフライニングの表面に敷設された粘着部材に固着してワイヤハーネスを配索する自動車ルーフ部のワイヤハーネスの配索構造において、
前記ワイヤハーネスを構成する複数の電線が未結束状態とされていると共に、該未結束状態の電線が可撓性シートからなる筒体によって隙間を隔てて包囲されており、前記筒体が扁平断面形状で前記粘着部材に固着されている
ことを特徴とする自動車ルーフ部のワイヤハーネスの配索構造。
【請求項２】
前記未結束状態の電線の周囲を、前記隙間を隔てて帯状の前記可撓性シートで覆い、該帯状の可撓性シートの側縁部同士を両面粘着テープで固着することにより前記筒体を構成した、請求項１に記載の自動車ルーフ部のワイヤハーネスの配索構造。
【請求項３】
前記粘着部材への前記筒体の接着領域の幅寸法が、前記筒体の全周長の１／４以上１／２以下となるように、前記隙間の大きさが設定されている請求項１又は２に記載の自動車ルーフ部のワイヤハーネスの配索構造。
【請求項４】
自動車のルーフライニングの表面に敷設された粘着部材に固着されて配索される自動車ルーフ部用のワイヤハーネスであって、
複数の電線が未結束状態とされていると共に、該未結束状態の電線が可撓性シートからなる筒体によって隙間を隔てて包囲されている
ことを特徴とする自動車ルーフ部用のワイヤハーネス。
【請求項５】
前記未結束状態の電線の端末にコネクタが装着されていると共に、前記筒体の該コネクタ側の端部が、固定手段により折り畳まれた状態で分離可能に仮固定されている請求項４に記載の自動車ルーフ部用のワイヤハーネス。
【請求項６】
前記筒体が、前記未結束状態の電線の周囲に前記隙間を隔てて配設された帯状の前記可撓性シートであって、その側縁部同士が両面粘着テープで固着されたものにより構成されている、請求項４又は５に記載の自動車ルーフ部用のワイヤハーネス。
【請求項７】
前記粘着部材への前記筒体の接着領域の幅寸法が、前記筒体の全周長の１／４以上１／２以下となるように、前記隙間の大きさが設定されている請求項４〜６の何れか１項に記載の自動車ルーフ部用のワイヤハーネス。
【発明の詳細な説明】
【技術分野】
【０００１】
本発明は、自動車ルーフ部におけるワイヤハーネスの配索構造および自動車ルーフ部用のワイヤハーネスに関するものである。
【背景技術】
【０００２】
従来から、自動車のルーフ部には、ルーフ部の表面（上面）を構成するルーフパネルと、ルーフパネルに装着されてルーフ部の裏面（下面）を構成するルーフライニングとの間に、ワイヤハーネスが配索されており、かかるワイヤハーネスからルームランプ等に電力が供給されるようになっている。
【０００３】
ところで、自動車のルーフ部に配索されるワイヤハーネスは、例えば、特開平７−２１２９３２号公報（特許文献１）の図３（Ａ）に記載されているように、ルーフライニングの表面に予め配線経路に沿って敷設された粘着部材に対して、ワイヤハーネスの外周面を押し付けて粘着固定することにより、所望の配索経路状態で、配索固定されるようになっている。
【０００４】
ところが、ワイヤハーネスは、多数の電線が結束テープにより略円形断面状に結束固定された構成とされているていることから、ルーフライニングに敷設された粘着部材に対して、広い接着面積を確保することが難しいという問題があった（特許文献１の図３（Ｂ）参照）。その結果、車両走行時の振動等により、ワイヤハーネスが粘着部材から剥がれ易く、移動可能となったワイヤハーネスがルーフライニングや他部材と干渉して異音を発生するおそれがあったのである。
【０００５】
これに対して、特許文献１の図１に記載されている係止ピンや、特開２００６−２０６８２０号公報（特許文献２）の図２に記載されている粘着テープを、ワイヤハーネスの上方から固着してルーフライニングに固定する方法により、ワイヤハーネスのルーフライニングへの固着力の補強を行うことも考えられる。
【０００６】
しかしながら、係止ピンや粘着テープといった別部品が必要となり、それらの取り扱いが煩雑になると共に、係止ピンや粘着テープを、ワイヤハーネスの複数箇所に個別に固着する作業は時間を要することから、作業性の悪化が避けられないという問題があった。
【先行技術文献】
【特許文献】
【０００７】
【特許文献１】特開平７−２１２９３２号公報
【特許文献２】特開２００６−２０６８２０号公報
【発明の概要】
【発明が解決しようとする課題】
【０００８】
本発明は、上述の事情を背景に為されたものであって、その解決課題は、別部品を必要とすることなく、簡単な作業により、ルーフライニングへのワイヤハーネスの固着力の増強を図ることができる、新規な自動車ルーフ部のワイヤハーネスの配索構造と、新規な構造の自動車ルーフ部用のワイヤハーネスを提供することにある。
【課題を解決するための手段】
【０００９】
自動車ルーフ部のワイヤハーネスの配索構造に関する本発明の第一の態様は、自動車のルーフライニングの表面に敷設された粘着部材に固着してワイヤハーネスを配索する自動車ルーフ部のワイヤハーネスの配索構造において、前記ワイヤハーネスを構成する複数の電線が未結束状態とされていると共に、該未結束状態の電線が可撓性シートからなる筒体によって隙間を隔てて包囲されており、前記筒体が扁平断面形状で前記粘着部材に固着されていることを特徴とするものである。
【００１０】
このような本態様に従う自動車ルーフ部のワイヤハーネスの配索構造においては、ワイヤハーネスを構成する複数の電線が、従来の如き結束テープで略円形断面形状に結束固定される代わりに、これら複数の電線が相対移動が可能な未結束状態とされていると共に、可撓性シートからなる筒体によって隙間を隔てて包囲されている。これにより、筒体内の隙間を利用して複数の電線を移動させることができ、筒体を上下から押しつぶした扁平断面形状に変形させることが可能となる。
【００１１】
それ故、ルーフライニングの粘着部材上にワイヤハーネスを固定する際に、筒体を扁平断面形状に変形させて押し付けるという簡単な作業により、粘着部材に対する筒体の接着面積を大きく確保することが可能となる。従って、何らかの別部品や煩雑な作業工程を必要とすることなく、ルーフライニングへのワイヤハーネスの固着力を増大させることができ、ワイヤハーネスの安定固定による異音発生防止等の効果を達成することができるのである。
【００１２】
なお、ワイヤハーネスは必ずしもその全長に亘って未結束状態にされる必要はなく、電線端末に装着されたコネクタから次の分岐点の間や、分岐点間等の任意の結束点間において未結束状態にされている部分があれば、本態様に含まれる。また、可撓性シートの材料も任意に選択可能であり、軟質塩化ビニール等の合成樹脂製の可撓性シートであってもよいし、不織布等の布製の可撓性シートであってもよい。
【００１３】
自動車ルーフ部のワイヤハーネスの配索構造に関する本発明の第二の態様は、前記第一の態様に記載のものにおいて、前記未結束状態の電線の周囲を、前記隙間を隔てて帯状の前記可撓性シートで覆い、該帯状の可撓性シートの側縁部同士を両面粘着テープで固着することにより前記筒体を構成したものである。
【００１４】
本態様によれば、一側縁部に両面粘着テープが設けられた帯状の可撓性シートを利用して、未結束状態の電線の周囲を隙間を隔てて包囲する筒体を容易に配設することができる。それ故、ワイヤハーネスの端末から筒体を挿通する場合に比して、未結束電線を筒体で覆う作業の簡素化・効率化を図ることができる。特に、ワイヤハーネスの分岐点間に筒体を配設する必要がある場合には、筒体の配設作業性を飛躍的に向上させることができる。
【００１５】
また、帯状の可撓性シートにおいて、両面粘着テープが設けられていない他方の側縁部を、必要に応じて任意の幅寸法で切断して側縁部同士を両面粘着テープで固定することができることから、ワイヤハーネスの構成する電線の大きさや数に応じて筒体の大きさ（幅寸法）を容易に調節することができ、筒体の汎用性向上を図ることができる。
【００１６】
自動車ルーフ部のワイヤハーネスの配索構造に関する本発明の第三の態様は、前記第一又は第二の態様に記載のものにおいて、前記粘着部材への前記筒体の接着領域の幅寸法が、前記筒体の全周長の１／４以上１／２以下となるように、前記隙間の大きさが設定されているものである。
【００１７】
本態様によれば、電線と筒体との隙間を所定の大きさに設定することで、筒体の粘着部材に対する接着面積が有利に確保され、十分な固着力が発揮され得る。
【００１８】
次に、自動車ルーフ部用のワイヤハーネスに関する本発明の第一の態様は、自動車のルーフライニングの表面に敷設された粘着部材に固着されて配索される自動車ルーフ部用のワイヤハーネスであって、複数の電線が未結束状態とされていると共に、該未結束状態の電線が可撓性シートからなる筒体によって隙間を隔てて包囲されていることを特徴とするものである。
【００１９】
このような本態様に従う構造とされた自動車ルーフ部用のワイヤハーネスによれば、ワイヤハーネスを構成する複数の電線が、相対移動が可能な未結束状態とされていると共に、可撓性シートからなる筒体によって隙間を隔てて包囲されている。これにより、筒体内の隙間を利用して複数の電線を移動させることができ、筒体を上下から押しつぶした扁平断面形状に変形させることが可能となる。それ故、上述のとおり、ルーフライニングの粘着部材に広い接着面積で固着させることができ、何らかの別部品や煩雑な作業工程を必要とすることなく、ルーフライニングへのワイヤハーネスの固着力を増大させることができるのである。
【００２０】
自動車ルーフ部用のワイヤハーネスに関する本発明の第二の態様は、前記自動車ルーフ部用のワイヤハーネスに関する第一の態様に記載のものにおいて、前記未結束状態の電線の端末にコネクタが装着されていると共に、前記筒体の該コネクタ側の端部が、固定手段により折り畳まれた状態で分離可能に仮固定されているものである。
【００２１】
本態様によれば、筒体のコネクタ側の端部が折り畳まれた状態で分離可能に、固定手段により仮固定されていることから、筒体の周長がコネクタの周長よりも大きい場合に、ワイヤハーネスの輸送中に筒体が電線端末のコネクタ側から離脱することを未然に防止することができる。また、固定手段により分離可能に仮固定されたものであることから、ルーフライニングへのワイヤハーネスの配設時には、固定手段による仮固定を解除して、筒体を広げた状態に容易に戻すことができる。それ故、ルーフライニングへの固着作業性や固着性を低減させることも回避できるのである。なお、固定手段としては、予め破断線が設けられた粘着テープ等が好適に用いられる。
【００２２】
自動車ルーフ部用のワイヤハーネスに関する本発明の第三の態様は、前記自動車ルーフ部用のワイヤハーネスに関する第一又は第二の態様に記載のものにおいて、前記筒体が、前記未結束状態の電線の周囲に前記隙間を隔てて配設された帯状の前記可撓性シートであって、その側縁部同士が両面粘着テープで固着されたものにより構成されているものである。
【００２３】
本態様によれば、一側縁部に両面粘着テープが設けられた帯状の可撓性シートを利用して、未結束状態の電線の周囲を隙間を隔てて包囲する筒体を容易に配設することができる。それ故、ワイヤハーネスの端末から筒体を挿通する場合に比して、未結束電線を筒体で覆う作業の簡素化・効率化を図ることができる。また、上述のとおり、帯状の可撓性シートの他方の側縁部を、任意の幅寸法で切断することにより、ワイヤハーネスの構成する電線の大きさや数に応じて筒体の大きさ（幅寸法）を容易に調節することができ、筒体の汎用性向上を図ることもできる。
【００２４】
自動車ルーフ部用のワイヤハーネスに関する本発明の第四の態様は、前記自動車ルーフ部用のワイヤハーネスに関する第一乃至第三の何れかに態様に記載のものにおいて、前記粘着部材への前記筒体の接着領域の幅寸法が、前記筒体の全周長の１／４以上１／２以下となるように、前記隙間の大きさが設定されているものである。
【００２５】
本態様によれば、電線と筒体との隙間を所定の大きさに設定することで、筒体の粘着部材に対する接着面積が有利に確保され、十分な固着力が発揮され得る。
【発明の効果】
【００２６】
自動車ルーフ部のワイヤハーネスの配索構造および自動車ルーフ部用のワイヤハーネスに関する本発明においては、ワイヤハーネスを構成する複数の電線が未結束状態とされて、それらが可撓性シートからなる筒体で隙間を隔てて包囲されている。従って、筒体を扁平断面形状に変形させて、ルーフライニングに敷設された粘着部材に押し付けるという簡単な作業により、ワイヤハーネスの粘着部材への接着面積を大きく確保することができる。それ故、何らかの別部品や煩雑な作業工程を必要とすることなく、ルーフライニングへのワイヤハーネスの固着性を向上させることができるのである。
【図面の簡単な説明】
【００２７】
【図１】本発明の一実施形態としての自動車ルーフ部用のワイヤハーネスおよび自動車ルーフ部のワイヤハーネスの配索構造を示す、概念平面図。
【図２】図１におけるＩＩ−ＩＩ断面拡大図。
【図３】図１に示した筒体を構成する帯状の可撓性シートの平面図。
【図４】図１に示したワイヤハーネスの輸送時の形態を示す部分斜視図。
【発明を実施するための形態】
【００２８】
以下、本発明の実施形態について、図面を参照しつつ説明する。
【００２９】
先ず、図１〜２に、本発明の一実施形態としての自動車ルーフ部用のワイヤハーネス１０、および当該ワイヤハーネス１０を用いた、自動車ルーフ部１２のワイヤハーネス１０の配索構造を、概念的に示す。自動車ルーフ部１２は、ルーフ部１２の表面（図２中、上面）を構成するルーフパネル１４と、ルーフパネル１４の下面に装着されてルーフ部の裏面（図２中、下面）を構成するルーフライニング１６によって構成されている。そして、ルーフパネル１４のルーフライニング１６の対向面間のスペースに自動車ルーフ部用のワイヤハーネス１０が配索されて、ルームランプ１８等の各種電装品に電力が供給されるようになっている。なお、図１では、理解を容易とする為に、最上部のルーフパネル１４を破線で示しており、透視した状態で表している。
【００３０】
より詳しくは、ルーフライニング１６は、全体として薄肉の略矩形平板形状を呈しており、発泡ウレタン等の公知の合成樹脂材料からなる一体形成されている。このルーフライニング１６のルーフパネル１４への対向側となる表面（図２中上面）には、ワイヤハーネス１０の配索経路に沿った形状で、予め両面粘着テープ等からなる粘着部材２０ａ，２０ｂ，２０ｃが適所に敷設されている。換言すれば、ルーフライニング１６の表面に敷設された粘着部材２０ａ，２０ｂ，２０ｃに対してワイヤハーネス１０が固着および配索されている。
【００３１】
このようなルーフライニング１６の表面上に配索される自動車ルーフ部用のワイヤハーネス１０は、絶縁被覆された複数の電線２２を含んで構成されており、それら電線２２の端末には、コネクタ２４がそれぞれ装着されている。これらのコネクタ２４は、ルームランプ１８や図示しないその他の電装品等に設けられた相手側のコネクタに装着される。
【００３２】
そして、ワイヤハーネス１０を構成する複数の電線２２は、分岐点２８ａ，２８ｂにおいては、ビニールテープ等の結束テープ３０により結束されているものの、分岐点２８ａ，２８ｂと各コネクタ２４との間や、分岐点２８ａ，２８ｂ間においては、結束テープ等で結束されず、それぞれの電線２２が、相互にばらされて相対移動可能な未結束の状態とされている。
【００３３】
このように未結束状態とされた複数の電線２２の周囲には、可撓性シート３２からなる筒体３４ａ，３４ｂ，３４ｃが隙間を隔てて配設されており、それら複数の電線２２が、筒体３４ａ，３４ｂ，３４ｃのそれぞれによって包囲されている。ここで、可撓性シート３２は、合成樹脂や布、エラストマー等の可撓性を有する任意のシート材から構成され得るが、本実施形態材料は軟質塩化ビニールシートから構成されている。
【００３４】
特に、本実施形態では、可撓性シート３２は、全体として図３に示すような帯状を呈しており、帯状の可撓性シート３２の幅方向（図３中、上下方向）における一方の側縁部３６（図３中、上側）には、両面粘着テープ３８が設けられている。そして、このような可撓性シート３２を電線２２の周囲を所定の隙間を隔てて包囲するように配設し、幅方向における他方の側縁部４０を両面粘着テープ３８に固着させることにより、帯状の可撓性シート３２の側縁部３６，４０同士が両面粘着テープ３８で固着されて構成された筒体３４ａ，３４ｂ，３４ｃを、未結束状態とされた複数の電線２２の周囲に容易に配設することができるのである。
【００３５】
このように、一方の側縁部３６に両面粘着テープ３８が設けられた帯状の可撓性シート３２を利用して、筒体３４ａ，３４ｂ，３４ｃを構成することにより、ワイヤハーネスの端末から筒体３４ａ，３４ｂ，３４ｃを所定位置まで挿通させる場合に比して、電線を筒体３４ａ，３４ｂ，３４ｃで包囲する作業を容易に行うことができる。特に、分岐点２８ａ，２８ｂ間への筒体３４ｂの挿通は困難であることから、可撓性シート３２が好適に採用される。
【００３６】
このような構造とされた自動車ルーフ部用のワイヤハーネス１０におけるルーフ部１２への配索構造について、以下に具体的に説明する。ワイヤハーネス１０の筒体３４ａ，３４ｂ，３４ｃは、図２に示す如き形態で、ルーフライニング１６の粘着部材２０ａ，２０ｂ，２０ｃに対して固着される。具体的には、ワイヤハーネス１０においては、複数の電線２２が、相対移動が可能な未結束状態とされていると共に、それらの周囲に隙間を隔てて配設された可撓性シート３２からなる筒体３４ａ，３４ｂ，３４ｃによって、包囲されている。これにより、筒体３４ａ，３４ｂ，３４ｃ内の隙間を利用して複数の電線を移動させることができ、筒体３４ａ，３４ｂ，３４ｃを上方から押し潰すという簡単な作業により、筒体３４ａ，３４ｂ，３４ｃを扁平断面形状に変形させることが可能となる。それ故、ルーフライニング１６の粘着部材２０ａ，２０ｂ，２０ｃに対して、筒体３４ａ，３４ｂ，３４ｃを扁平断面形状で、広い接着面積をもって固着させることができるのである。
【００３７】
特に、本実施形態では、複数の電線２２と筒体３４ａ，３４ｂ，３４ｃとの間の隙間が比較的大きく確保されていることから、筒体３４ａ，３４ｂ，３４ｃの内部で、複数の電線２２の相対移動距離を大きく確保できる。それ故、複数の電線２２が略フラットな状態で並列配置されるまで、筒体３４ａ，３４ｂ，３４ｃを扁平に変形させることができ、図２に示す如く、筒体３４ａ，３４ｂ，３４ｃの周長、即ち可撓性シート３２の幅寸法をＬ１とした場合に（図３参照）、最大でその略半分となる幅寸法：Ｌ２（Ｌ２＝（Ｌ１）／２）に亘る領域を、粘着部材２０ａ，２０ｂ，２０ｃへの接着領域とすることができる。従って、従来の如き結束テープで略円形断面形状に結束固定されたワイヤハーネスに比して、ワイヤハーネス１０の粘着部材２０ａ，２０ｂ，２０ｃへの接着面積が、十分に広く確保されている。このように、本実施形態における自動車ルーフ部１２におけるワイヤハーネス１０の配索構造によれば、何らかの別部品や煩雑な作業工程を必要とすることなく、ルーフライニング１６へのワイヤハーネス１０の固着力を増大させることができ、以って、ワイヤハーネス１０の粘着部材２０ａ，２０ｂ，２０ｃからの離脱が防止されて、それによる異音発生等の問題を未然に防止できるのである。
【００３８】
なお、かかる可撓性シート３２の幅寸法：Ｌ１は、好適には５０ｍｍ≦Ｌ１≦２００ｍｍの範囲内に設定されて、更に好適には８０ｍｍ≦Ｌ１≦１５０ｍｍの範囲内に設定される。本実施形態では、可撓性シート３２の幅寸法：Ｌ１が１００ｍｍとされている。また、可撓性シート３２の厚さ寸法：Ｔは、好適には０．１ｍｍ≦Ｔ≦０．５ｍｍの範囲内に設定されて、更に好適には０．２ｍｍ≦Ｔ≦０．３ｍｍの範囲内に設定される。本実施形態では、可撓性シート３２の厚さ寸法：Ｔが０．３ｍｍとされている。このような可撓性シート３２の好適な厚さ寸法：Ｔを採用すれば、筒体３４ａ，３４ｂ，３４ｃの耐久性や強度を確保しつつ押し潰す際の反力を小さく抑えることが出来て、筒体を扁平断面状態とすることが一層容易とされる。
【００３９】
以上、本発明に関する自動車ルーフ部用のワイヤハーネス１０、および当該ワイヤハーネス１０を用いた自動車ルーフ部１２のワイヤハーネス１０の配索構造の具体的実施形態について詳述したが、本発明はその具体的な記載によって限定されない。例えば、複数の電線２２と筒体３４ａ，３４ｂ，３４ｃとの間の隙間の大きさは、配設スペースや、電線２２の本数や大きさ等の関係を考慮し任意に設定可能である。例えば、図２の左右方向において、筒体３４ａ，３４ｂ，３４ｃの全周長：Ｌ１に対する、粘着部材２０ａ，２０ｂ，２０ｃへの接着領域の幅寸法：Ｌ２は、半分以下の範囲（好ましくは（Ｌ１）／４≦Ｌ２≦（Ｌ１）／２、より好ましくは（Ｌ１）／３≦Ｌ２≦（Ｌ１）／２）となるように、隙間の大きさを設定することができる。これにより、筒体３４ａ，３４ｂ，３４ｃの粘着部材２０ａ，２０ｂ，２０ｃに対する接着面積が有利に確保されて、十分な固着力が発揮され得る。
【００４０】
そして、かかる複数の電線２２と筒体３４ａ，３４ｂ，３４ｃとの間の隙間の大きさの調整は、帯状の可撓性シート３２の他方の側縁部４０側を、任意の幅寸法で切断して、側縁部３６，４０同士を、両面粘着テープ３８を介して固定することにより、容易に為し得る。このように、一方の側縁部３６に両面粘着テープが設けられた帯状の可撓性シート３２は、高い汎用性をもって、筒体３４ａ，３４ｂ，３４ｃを形成することができるのである。
【００４１】
また、複数の電線２２と筒体３４ａ，３４ｃとの間の隙間が大きい場合には、各コネクタ２４と分岐点２８ａ，２８ｂの間に配設された筒体３４ａ，３４ｃの周長：Ｌ１が、コネクタ２４の周長よりも大きくなって、ワイヤハーネス１０の輸送中に、筒体３４ａ，３４ｃがコネクタ２４側から離脱するおそれがある。このような場合には、図４に示すように、ワイヤハーネス１０の筒体３４ａ，３４ｃのコネクタ２４側の端部を幅方向で折り畳んだ状態で、固定手段としての粘着テープ４２で分離可能に仮固定された構造が好適に採用される。
【００４２】
これにより、筒体３４ａ，３４ｃのコネクタ２４側の開口面積が小さくされて、ワイヤハーネス１０の輸送中においては、筒体３４ａ，３４ｃの端部とコネクタ２４との干渉により、筒体３４ａ，３４ｃのコネクタ２４側からの離脱が阻止される。また、このようなワイヤハーネス１０を、ルーフライニング１６上に配索する場合には、仮固定用の粘着テープ４２を剥離乃至は破断することにより、仮固定を解除して、筒体３４a ，３４ｃを広げた状態に容易に戻すことができる。なお、図４に例示の粘着テープ４２には、所定ピッチで破断線４４が設けられており、粘着テープ４２の破断が容易とされて、仮固定の解除が一層容易に為し得るようになっている。
【符号の説明】
【００４３】
１０：自動車ルーフ部用のワイヤハーネス、１６：ルーフライニング、２０a ，２０ｂ，２０ｃ：粘着部材、２２：電線、２４：コネクタ、３２：可撓性シート、３４a ，３４ｂ，３４ｃ：筒体、３６：一方の側縁部、３８：両面粘着テープ、４０：他方の側縁部、４２：粘着テープ（固定手段）
【図１】
2014136536.tif 000003
【図２】
2014136536.tif 000004
【図３】
2014136536.tif 000005
【図４】
2014136536.tif 000006